【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
符号化階層を選択して復号することにより、前記符号化階層ごとの復号映像を得ることが可能な階層符号化映像データと、当該階層符号化映像データの所定の符号化階層に対応付けられた音声データとを再生する再生装置であって、
前記階層符号化映像データ及び前記音声データを受信する受信手段と、
前記受信手段により受信された前記階層符号化映像データが有する複数の前記符号化階層のうち、前記音声データが対応付けられている音声対応符号化階層を特定する特定手段と、
前記複数の符号化階層のそれぞれを復号した場合に得られる復号映像の画角の情報を取得する取得手段と、
前記複数の符号化階層のうち、選択された１つの符号化階層を復号する映像復号手段と、
前記選択された１つの符号化階層が前記音声対応符号化階層でない場合、
前記音声対応符号化階層を復号した場合に得られる復号映像の画角に対する、前記映像復号手段により復号された復号映像の画角の比を用いて、前記受信手段により受信された前記音声データを補正する補正手段と、
前記映像復号手段により復号された復号映像と、前記補正手段により補正された前記音声データとを再生する再生手段と、を備えることを特徴とする再生装置。
【請求項２】
前記音声データを補正するための音声補正量が記憶された記憶手段をさらに備え、
前記補正手段は、前記画角の比を前記音声補正量に乗じて得られた補正量で、前記音声データを補正することを特徴とする請求項１に記載の再生装置。
【請求項３】
前記階層符号化映像データのコンテンツのジャンルを識別する識別手段をさらに備え、
前記記憶手段はジャンルに対応付けられた音声補正量を記憶し、
前記補正手段は、前記識別手段により識別されたジャンルに対応する前記音声補正量を用いて、前記音声データを補正することを特徴とする請求項２に記載の再生装置。
【請求項４】
前記映像復号手段は、前記選択された１つの符号化階層の復号に、前記複数の符号化階層のうち前記選択された１つの符号化階層と異なる符号化階層の復号の結果を利用することを特徴とする請求項１乃至３のいずれか１項に記載の再生装置。
【請求項５】
符号化階層を選択して復号することにより、前記符号化階層ごとの復号映像を得ることが可能な階層符号化映像データと、当該階層符号化映像データの所定の符号化階層に対応付けられた音声データと、を受信する受信手段と、
複数の符号化階層のうち、選択された１つの符号化階層を復号し、復号映像を取得する復号手段と、
前記複数の符号化階層のそれぞれを復号した場合に得られる復号映像の画角の情報を取得する取得手段と、
前記復号手段によって復号される符号化階層に前記音声データが対応付けられていない場合に、前記音声データが対応付けられた符号化階層を復号した場合に得られる復号映像の画角の情報と、前記復号手段により復号される復号映像の画角の情報と、に基づいて、前記受信手段により受信された前記音声データを補正する補正手段と、
を備えることを特徴とする映像処理装置。
【請求項６】
前記補正手段は、前記復号手段によって復号される符号化階層に前記音声データが対応付けられていない場合に、前記音声データが対応付けられた符号化階層を復号した場合に得られる復号映像の画角に対する、前記復号手段により復号される復号映像の画角の比を用いて、前記音声データを補正することを特徴とする請求項５に記載の映像処理装置。
【請求項７】
前記音声データを補正するための音声補正量が記憶された記憶手段をさらに備え、
前記補正手段は、前記画角の比を前記音声補正量に乗じて得られた補正量で、前記音声データを補正することを特徴とする請求項６に記載の映像処理装置。
【請求項８】
前記階層符号化映像データのコンテンツのジャンルを識別する識別手段をさらに備え、
前記記憶手段はジャンルに対応付けられた音声補正量を記憶し、
前記補正手段は、前記識別手段により識別されたジャンルに対応する前記音声補正量を用いて、前記音声データを補正することを特徴とする請求項７に記載の映像処理装置。
【請求項９】
前記復号手段は、前記選択された１つの符号化階層の復号に、前記複数の符号化階層のうち前記選択された１つの符号化階層と異なる符号化階層の復号の結果を利用することを特徴とする請求項５乃至８のいずれか１項に記載の映像処理装置。
【請求項１０】
前記補正手段は、前記音声データの高音部、低音部、サラウンド、音像定位の少なくともいずれかを補正することを特徴とする請求項５乃至９のいずれか１項に記載の映像処理装置。
【請求項１１】
前記補正手段は、前記階層符号化映像データにそれぞれ異なる前記音声データが対応付けられた符号化階層が複数含まれる場合に、前記音声データが対応付けられた複数の符号化階層のうち、復号した場合に得られる復号映像の画角が、前記復号手段により復号される復号映像の画角に近い符号化階層に対応付けられている前記音声データを補正することを特徴とする請求項５乃至１０のいずれか１項に記載の映像処理装置。
【請求項１２】
前記音声データは、復号した場合に得られる復号映像の画角が最も広い符号化階層に対応付けられていることを特徴とする請求項５乃至１１のいずれか１項に記載の映像処理装置。
【請求項１３】
符号化階層を選択して復号することにより、前記符号化階層ごとの復号映像を得ることが可能な階層符号化映像データと、及び当該階層符号化映像データの所定の符号化階層に対応付けられた音声データとを再生する再生装置の制御方法であって、
受信手段が、前記階層符号化映像データ及び前記音声データを受信する受信工程と、
特定手段が、前記受信工程において受信された前記階層符号化映像データが有する複数の前記符号化階層のうち、前記音声データが対応付けられている音声対応符号化階層を特定する特定工程と、
取得手段が、前記複数の符号化階層のそれぞれを復号した場合に得られる復号映像の画角の情報を取得する取得工程と、
映像復号手段が、前記複数の符号化階層のうち、選択された１つの符号化階層を復号する映像復号工程と、
前記選択された１つの符号化階層が、前記音声対応符号化階層でない場合、
補正手段が、前記音声対応符号化階層を復号した場合に得られる復号映像の画角に対する、前記映像復号工程において復号された復号映像の画角の比を用いて、前記受信工程において受信された前記音声データを補正する補正工程と、
再生手段が、前記映像復号工程において復号された復号映像と、前記補正工程において補正された前記音声データとを再生する再生工程と、を備えることを特徴とする再生装置の制御方法。
【請求項１４】
受信手段が、符号化階層を選択して復号することにより、前記符号化階層ごとの復号映像を得ることが可能な階層符号化映像データと、当該階層符号化映像データの所定の符号化階層に対応付けられた音声データと、を受信する受信工程と、
復号手段が、複数の符号化階層のうち、選択された１つの符号化階層を復号する復号工程と、
取得手段が、前記複数の符号化階層のそれぞれを復号した場合に得られる復号映像の画角の情報を取得する取得工程と、
補正手段が、前記復号工程において復号される符号化階層に前記音声データが対応付けられていない場合に、前記音声データが対応付けられた符号化階層を復号した場合に得られる復号映像の画角の情報と、前記復号工程において復号される復号映像の画角の情報と、に基づいて、前記受信工程において受信された前記音声データを補正する補正工程と、
を備えることを特徴とする映像処理装置の制御方法。
【請求項１５】
前記補正手段は前記補正工程において、前記復号工程において復号される符号化階層に前記音声データが対応付けられていない場合に、前記音声データが対応付けられた符号化階層を復号した場合に得られる復号映像の画角に対する、前記復号工程において復号される復号映像の画角の比を用いて、前記音声データを補正することを特徴とする請求項１４に記載の映像処理装置の制御方法。
【請求項１６】
前記映像処理装置は、前記音声データを補正するための音声補正量が記憶された記憶手段を備え、
前記補正手段は前記補正工程において、前記画角の比を前記音声補正量に乗じて得られた補正量で、前記音声データを補正することを特徴とする請求項１５に記載の映像処理装置の制御方法。
【請求項１７】
識別手段が、前記階層符号化映像データのコンテンツのジャンルを識別する識別工程をさらに備え、
前記記憶手段にはジャンルに対応付けられた音声補正量が記憶され、
前記補正手段は前記補正工程において、前記識別工程において識別されたジャンルに対応する前記音声補正量を用いて、前記音声データを補正することを特徴とする請求項１６に記載の映像処理装置の制御方法。
【請求項１８】
前記復号手段は前記復号工程において、前記選択された１つの符号化階層の復号に、前記複数の符号化階層のうち前記選択された１つの符号化階層と異なる符号化階層の復号の結果を利用することを特徴とする請求項１４乃至１７のいずれか１項に記載の映像処理装置の制御方法。
【請求項１９】
前記補正手段は前記補正工程において、前記音声データの高音部、低音部、サラウンド、音像定位の少なくともいずれかを補正することを特徴とする請求項１４乃至１８のいずれか１項に記載の映像処理装置の制御方法。
【請求項２０】
前記補正手段は前記補正工程において、前記階層符号化映像データにそれぞれ異なる前記音声データが対応付けられた符号化階層が複数含まれる場合に、前記音声データが対応付けられた複数の符号化階層のうち、復号した場合に得られる復号映像の画角が、前記復号工程において復号される復号映像の画角に近い符号化階層に対応付けられている前記音声データを補正することを特徴とする請求項１４乃至１９のいずれか１項に記載の映像処理装置の制御方法。
【請求項２１】
前記音声データは、復号した場合に得られる復号映像の画角が最も広い符号化階層に対応付けられていることを特徴とする請求項１４乃至２０のいずれか１項に記載の映像処理装置の制御方法。
【請求項２２】
コンピュータを、請求項１乃至４のいずれか１項に記載の再生装置の記憶手段を除く各手段として機能させるためのプログラム。
【請求項２３】
コンピュータを、請求項５乃至１２のいずれか１項に記載の映像処理装置の記憶手段を除く各手段として機能させるためのプログラム。
【手続補正２】
【補正対象書類名】明細書
【補正対象項目名】００１２
【補正方法】変更
【補正の内容】
【００１２】
前述の目的を達成するために、本発明の再生装置は、以下の構成を備える。
符号化階層を選択して復号することにより、符号化階層ごとの復号映像を得ることが可能な階層符号化映像データと、当該階層符号化映像データの所定の符号化階層に対応付けられた音声データとを再生する再生装置であって、階層符号化映像データ及び音声データを受信する受信手段と、受信手段により受信された階層符号化映像データが有する複数の符号化階層のうち、音声データが対応付けられている音声対応符号化階層を特定する特定手段と、複数の符号化階層のそれぞれを復号した場合に得られる復号映像の画角の情報を取得する取得手段と、複数の符号化階層のうち、選択された１つの符号化階層を復号する映像復号手段と、選択された１つの符号化階層が音声対応符号化階層でない場合、音声対応符号化階層を復号した場合に得られる復号映像の画角に対する、映像復号手段により復号された復号映像の画角の比を用いて、受信手段により受信された音声データを補正する補正手段と、映像復号手段により復号された復号映像と、補正手段により補正された音声データとを再生する再生手段と、を備えることを特徴とする。